(57)【要約】      （修正有）【課題】細菌等の漏れ出し防止の向上、および省力化に好適な安全キャビネットであって、前記安全キャビネットから排出される空気をバリア空気として利用する排気の循環利用型安全キャビネットを得る。【解決手段】作業空間５３へ給気用ＨＥＰＡフィルタ５４を介して清浄給気を供給し、作業空間の空気を再び送風機５６により吸引して循環させ、その一部を外部に排出することで作業空間が負圧に維持る安全キャビネット本体５１と、前記安全キャビネット本体から排気用ＨＥＰＡフィルタ５５を介して排出された空気を取り込む排気取込口９を備え、下面前部に前記排気取込口から取り込まれた空気を下方に吹き出す排気吹出口１０を設けてなる排気還流ユニットとで構成され、前記安全キャビネット本体前面のシャッターに沿って下降する空気が、作業空間内に吸引されることによって、作業空間の空気が漏出するのを防止するバリア空気として循環利用される。【選択図】図９
2015166646.tif 000002
【特許請求の範囲】
【請求項１】
排気の循環利用型安全キャビネットであって、内部の作業空間へキャビネット送風機の吐出プレナムの下部に位置する給気用ＨＥＰＡフィルタを介して清浄給気を供給し、前記作業空間の空気を再び前記キャビネット送風機により吸引して循環させ、前記作業空間から循環してきた空気の一部を前記吐出プレナムの上部に位置する排気用ＨＥＰＡフィルタを介して外部に排出することで、前記作業空間が負圧に維持されて、前面のシャッター開口部から外部導入給気を取り入れてバリア空気とする安全キャビネット本体と、
前記安全キャビネット本体上に配置され、前記安全キャビネット本体から前記排気用ＨＥＰＡフィルタを介して排出された空気を取り込む排気取込口を下面後部に備え、下面前部に前記排気取込口から取り込まれた空気を前記安全キャビネット本体の前面のシャッターに沿って下方に吹き出す排気吹出口を設けてなる排気還流ユニットとで構成され、
前記安全キャビネット本体前面のシャッターに沿って下降する空気が、シャッター下端の開口部から、負圧に維持された前記作業空間内に吸引されることによって、前記作業空間の空気が前記開口部から漏出するのを防止するバリア空気の全部又は一部として循環利用されてなることを特徴とする排気の循環利用型安全キャビネット。
【請求項２】
排気還流ユニットの排気吹出口に下降空気流を下向きの層流とする整流板を設けてなることを特徴とする請求項１に記載の排気の循環利用型安全キャビネット。
【請求項３】
排気還流ユニットに、該排気還流ユニットを安全キャビネット本体に安全に配置し支持する４本の支持脚を設け、かつ左側の前後の支持脚間及び右側前後の支持脚間に間仕切りを立設してなることを特徴とする請求項１又は２に記載の排気の循環利用型安全キャビネット。
【請求項４】
排気還流ユニットの排気取込口に取り込まれた安全キャビネット本体からの排気が、前記排気還流ユニット内部で滞流することなく、排気吹出口から吹き出せるよう前記排気還流ユニット内に空気の流れをガイドするガイド板を設けてなることを特徴とする請求項１〜３のいずれか１項に記載の排気の循環利用型安全キャビネット。
【請求項５】
請求項１〜４のいずれか１項に記載の排気の循環利用型安全キャビネットを備えたクリーンルームであって、
安全キャビネット本体から排気用ＨＥＰＡフィルタを介して排気される空気をバリア空気の全部又は一部として循環利用し、クリーンルームに供給される清浄空気の供給量を削減して運転されてなることを特徴とする排気の循環利用型安全キャビネットを備えたクリーンルームの空気循環システム。
【請求項６】
クリーンルームの天井またはクリーンルーム壁面から供給する清浄空気の削減量が、排気の循環利用型安全キャビネットの投影面積にクリーンルームの天井高を乗じた体積値に基づいて決定されることを特徴とする請求項５に記載の排気の循環利用型安全キャビネットを備えたクリーンルームの空気循環システム。
【発明の詳細な説明】
【技術分野】
【０００１】
本発明は、安全キャビネット内の作業空間に上部からフィルタにより濾過されて供給される清浄空気と、作業空間内の負圧により当該安全キャビネットの前面から吸い込まれたバリア空気からなる作業空間内の空気の一部を、送風機により安全キャビネットの上部から設置空間に排出する安全キャビネットであって、前記安全キャビネットから排出される空気を前記安全キャビネット前面に降下させてバリア空気の全部または一部として循環利用する、排気の循環利用型安全キャビネットに関する。また、当該排気の循環利用型安全キャビネットを備えるクリーンルームの空気循環システムに関する。
【背景技術】
【０００２】
薬剤の研究施設、感染動物の飼育施設及び試験施設、また、医療での胚芽細胞取扱施設などでは、作業者や周囲環境の保護のため、病原体並びに組み換えＤＮＡなどを取り扱う際に発生するエアロゾルを作業域内に封じ込めることを第１の目的とした１次バリア装置としてのバイオハザード対策用クラスIIキャビネット：安全キャビネットが使われることが多い。
また、このような施設においては、清浄な環境下で調剤作業や培地作業などを行えるように、クラス１００〜クラス１００００程度の清浄度の環境が形成できるクリーンルームが設けられていることがある。
前記クリーンルームはその清浄度を維持するため、フィルタ濾過した空気を大風量供給して、室内で発生した塵埃をいち早く還気して再濾過し、循環させるようにしている。一時間当たりのクリーンルームへの給気風量をルームの容積で除した換気回数で表すと、例えば３０回〜１５０回の換気回数に相当する大風量である。さらに、クリーンルーム外部からの建屋隙間からの塵埃侵入を防ぐため、０．５〜１回換気分の陽圧外気を除塵して導入し、クリーンルームを陽圧にすることが通常である。
しかし、作業者や周囲環境保護のための１次バリア装置である安全キャビネットは、病原菌や遺伝子材料の拡散防止のため、周囲より陰圧を維持しなければならない。さらに、直近で作業する作業者に対しては、絶対的にエアロゾル拡散を防止するため、作業空間の前面シャッターの開口部からの吸い込み気流をバリア空気とすべく一定の風量を前記シャッター開口部から吸引しなければならない。
従来安全キャビネットは、病原菌など危険な微生物や、遺伝子材料などの試料を取り扱う作業空間を形成するために用いられるものであり、該安全キャビネットは、作業空間内へ実験器具の出し入れを容易に行え、さらに作業者が腕だけを作業空間に挿入し作業するために、作業空間の前面部には開閉可能なシャッターが設けられている。
空気の流れから追ってみると、まず、ほかの菌や細胞などが混入しないように、細菌も濾過できる給気用ＨＥＰＡフィルタによって除塵された清浄空気を作業空間上部から供給する。しかし作業空間からの漏えいを防止するため、作業空間は安全キャビネット外よりも陰圧になっており、作業空間の前面部から作業空間内に所定の風速でシャッター開口部から吸引される気流で吸引された外部給気が導入される。この外部から作業空間への導入される空気（＝外部給気）が、後述の作業空間内のエアロゾルを安全キャビネットの前面側へ漏出することを防ぐバリア空気となる。
作業空間上部からの給気とシャッター開口部からの外部給気とが混合された空気、つまり作業空間内の空気（以降、混合空気ともいう。）は、試料に接触し危険なエアロゾルが含まれる恐れがある。この混合空気は、作業空間の下部周囲の隙間や、作業空間床のパンチング孔から作業空間奥の循環系路を介して安全キャビネットのファンに吸い込まれる。  その後正圧になっているファン出口のプレナムから、作業空間上部からの給気は給気用の高性能フィルタである給気用ＨＥＰＡフィルタにより清浄化して作業空間に吹き出すと共に、外部からの導入給気と同じ風量を排気用の空気として同じプレナムから排気用の高性能フィルタである排気用ＨＥＰＡフィルタを介して安全キャビネット外に排出することにより、常に作業空間内の気圧を外部より低くして外部の空気を作業空間内に導き、それによって、作業空間内の試料と接触した空気が前記排気用ＨＥＰＡフィルタを通らずに外部に排出されないように構成されている（特許文献１）。
そして安全キャビネットは、その構造と使用方法から、排気用ＨＥＰＡフィルタから安全キャビネット外へ排出される排気を、建屋側排気ダクトに導いてクリーンルーム内に排気を出さないIIＢタイプと、排気用ＨＥＰＡフィルタにて危険なエアロゾルが除外されているので、前記排気をクリーンルーム室内に排出する室内排気のIIＡタイプとに大きく形式が分かれる。一般に有毒ガスを取扱う場合やハザードレベルの高い封じ込めが必要な場合を除き、IIＡタイプの安全キャビネットが使用されることが多い。
【０００３】
図１０は、そのような従来のIIＡタイプの安全キャビネット５０をバイオハザード対策用のクリーンルームに設置した場合の概要を示す側面断面図であり、同図に示すように、前記安全キャビネット５０を設置するクリーンルーム７０においては、上述した清浄度を維持するための循環ろ過空気を給気するため、上述した換気回数が確保できる風量を、給気ユニット７１を介して図示しない循環空調機からの清浄給気ａ１として取り込むように管理されている。
そして、安全キャビネット５０をクリーンルーム７０に設置して使用する場合、前述のクリーンルームを正圧に保つ余剰外気に、さらに安全キャビネットの前面シャッター開口部から作業空間内に導入されるバリア空気を確保するための排気用ＨＥＰＡフィルタ５５からの排出空気量を加えた外気量を、図示しない循環空調機で除塵温調してクリーンルーム内に導入することとなる。この従来の安全キャビネット５０の場合、排気用ＨＥＰＡフィルタ５５はキャビネット天蓋上部にその気流出口を上方に向けて位置しているので、排気用ＨＥＰＡフィルタを介して安全キャビネット５０外に排出された空気ａ３は、天井７２等に高速でぶつかりその流れの向きがランダムに転換され、クリーンルーム７０内を天井７２に沿って流れて行くために、安全キャビネット５０の前面シャッターの開口部に下降気流として取り込まれることが無く、クリーンルーム７０の清浄度維持空気として混合され、クリーンルーム７０の例えば壁下方に位置する還気口７５から図示しない循環空調機へ空調機ファンによって吸引されて循環空調機へ戻され温調され、再び給気ユニット７１へ送られる。
また、試料に接触した空気の一部の導入給気分が排気用ＨＥＰＡフィルタ５５を介して風量ａ３として安全キャビネット５０外に排出される際に、天井７２等に高速でぶつかりクリーンルーム７０の天井を高速流で水平方向に流れ、クリーンルーム７０の天井の給気ユニット７１から吹かれた清浄度維持用の清浄給気ａ１の一部の天井に沿う気流成分と正面衝突してしまい、クリーンルーム７０内で乱流が生じてしまう。これにより乱流の渦内に塵埃が閉じこまれ、クリーンルーム７０内の清浄度維持が脅かされる。
また、導入給気分（ａ３）が排気用ＨＥＰＡフィルタ５５を介して安全キャビネット５０外に排出される際に、天井７２等に高速でぶつかりクリーンルーム７０の天井を高速流で水平方向に流れ、当該水平気流が安全キャビネット５０の前面外側の澱んだ空気を誘引することで、安全キャビネット５０の前面に上昇気流を形成することもある。そして、このような気流が生じると、床から塵埃で汚れた空気が安全キャビネット５０の前面をなめるように上昇気流をさらに強くし、作業空間５３内で試料に接触した空気ａ２がこの上昇気流に誘引されて、前記作業空間５３の前面開口部６６から安全キャビネット５０外に漏れ出してしまうことになる。これでは、作業者や周囲環境の保護のため、病原体並びに組み換えＤＮＡなどを取り扱う際に発生するエアロゾルを作業域内に封じ込めることを第１の目的とした、１次バリア装置として機能が果たせなくなる。
【先行技術文献】
【特許文献】
【０００４】
【特許文献１】特許３４１０３８９号公報
【発明の概要】
【発明が解決しようとする課題】
【０００５】
本発明は、安全キャビネット内の作業空間に上部からフィルタにより濾過されて供給される清浄空気と、作業空間内の負圧により当該安全キャビネットの前面から吸い込まれたバリア空気からなる作業空間内の空気の一部を、送風機により安全キャビネットの上部から設置空間に排出する安全キャビネットで、前記安全キャビネット上部から排出される空気を前記安全キャビネット前面に降下させてバリア空気の全部または一部として循環利用する排気の循環利用型安全キャビネットを得ることを目的とする。また、当該排気の循環利用型安全キャビネットを備えるクリーンルームの空気循環システムを得ることを目的とする。
【課題を解決するための手段】
【０００６】
本発明者らは上記課題を下記の手段により解決した。
（１）排気の循環利用型安全キャビネットであって、内部の作業空間へキャビネット送風機の吐出プレナムの下部に位置する給気用ＨＥＰＡフィルタを介して清浄給気を供給し、作業空間の空気を再びキャビネット送風機により吸引して循環させ、作業空間から循環してきた空気の一部を前記吐出プレナムの上部に位置する排気用ＨＥＰＡフィルタを介して外部に排出することで、作業空間が負圧に維持されて、前面のシャッター開口部から外部導入給気を取り入れてバリア空気とする安全キャビネット本体と、
前記安全キャビネット本体上に配置され、前記安全キャビネット本体から排気用ＨＥＰＡフィルタを介して排出された空気を取り込む排気取込口を下面後部に備え、下面前部に前記排気取込口から取り込まれた空気を前記安全キャビネット本体の前面のシャッターに沿って下方に吹き出す排気吹出口を設けてなる排気還流ユニットとで構成され、
前記安全キャビネット本体前面のシャッターに沿って下降する空気が、シャッター下端の開口部から、負圧に維持された作業空間内に吸引されることによって、作業空間の空気が前記開口部から漏出するのを防止するバリア空気の全部又は一部として循環利用されてなることを特徴とする排気の循環利用型安全キャビネット。
（２）排気還流ユニットの排気吹出口に下降空気流を下向きの層流とする整流板を設けてなることを特徴とする前記（１）に記載の排気の循環利用型安全キャビネット。
（３）排気還流ユニットに、該排気還流ユニットを安全キャビネット本体に安全に配置し支持する４本の支持脚を設け、かつ左側の前後の支持脚間及び右側前後の支持脚間に間仕切りを立設してなることを特徴とする前記（１）又は（２）に記載の排気の循環利用型安全キャビネット。
（４）排気還流ユニットの排気取込口に取り込まれた安全キャビネット本体からの排気が、前記排気還流ユニット内部で滞流することなく、排気吹出口から吹き出せるよう前記排気還流ユニット内に空気の流れをガイドするガイド板を設けてなることを特徴とする前記（１）〜（３）のいずれか１項に記載の排気の循環利用型安全キャビネット。
（５）前記（１）〜（４）のいずれか１項に記載の排気の循環利用型安全キャビネットを備えたクリーンルームであって、
安全キャビネット本体から排気用ＨＥＰＡフィルタを介して排気される空気をバリア空気の全部または一部として循環利用し、クリーンルームに供給される清浄空気の供給量を削減して運転されてなることを特徴とする排気の循環利用型安全キャビネットを備えたクリーンルームの空気循環システム。
（６）クリーンルームの天井またはクリーンルーム壁面から供給する清浄空気の削減量が、排気の循環利用型安全キャビネットの投影面積にクリーンルームの天井高を乗じた体積値に基づいて決定されることを特徴とする前記（５）に記載の排気の循環利用型安全キャビネットを備えたクリーンルームの空気循環システム。
【発明の効果】
【０００７】
本発明の排気の循環利用型安全キャビネットにより下記の効果が発揮される。
前記（１）〜（４）記載の本発明の排気の循環利用型安全キャビネットによれば、安全キャビネットの空気排出路から排気される空気を、流れを均一に整えると共に風速が抑えられた整流として前記安全キャビネット本体の上方から安全キャビネット本体の前面に下方に向けて均一に吹き出すことができるので、安全キャビネット本体の空気排出路から排出される空気を清浄空気として再度作業空間の前面開口部から作業空間内に取り込むことができ、その清浄空気の量に応じて、バイオセーフテイ施設であるクリーンルームに取り込む清浄度維持清浄空気の量を減らすことができる。
また、排気用ＨＥＰＡフィルタで除害された空気が排気還流ユニットを通り流れが均一に整えられると共に風速が抑えられた下向きの層流となって前記キャビネット本体の前面のシャッターに沿って上方から下方に向けて吹き出されるので、クリーンルーム内に乱流が生じることが無く、また作業空間内の試料に接触した空気が、前記作業空間の前面部から安全キャビネット外に漏出すのを防止することができる。
【図面の簡単な説明】
【０００８】
【図１】本発明の第１実施例の排気の循環利用型安全キャビネットの説明図であり、（ａ）は正面図、（ｂ）は側面から見た横断面図である。
【図２】本発明の第１実施例の排気の循環利用型安全キャビネットの外観斜視説明図である。
【図３】本発明の排気の循環利用型安全キャビネットを構成する排気還流ユニットの第１実施例の構造図である。
【図４】本発明の第２実施例の排気の循環利用型安全キャビネットの説明図であり、（ａ）は正面図、（ｂ）は側面から見た横断面図である。
【図５】本発明の第２実施例の排気の循環利用型安全キャビネットの斜視説明図である。
【図６】本発明の排気の循環利用型安全キャビネットを構成する排気還流ユニットの第２実施例の構造図である。
【図７】本発明の第３実施例の排気の循環利用型安全キャビネットの斜視説明図である。
【図８】本発明の排気の循環利用型安全キャビネットを構成する排気還流ユニットの第３実施例の構造図であり、（ａ）は左側面図、（ｂ）は上面図である。
【図９】図４に示す本発明の第２実施例の排気の循環利用型安全キャビネットをバイオハザード対策用のクリーンルームに設置した場合の説明図である。
【図１０】従来の安全キャビネットをバイオハザード対策用のクリーンルームに設置した場合の説明図である。
【発明を実施するための形態】
【０００９】
本発明の排気の循環利用型安全キャビネットを実施するための形態を実施例の図に基づいて説明する。
〔実施例１〕
図１は、本発明の第１実施例の排気の循環利用型安全キャビネットの説明図であり、（ａ）は正面図、（ｂ）は側面から見た横断面図である。
図において、５０は排気の循環利用型安全キャビネット全体を示し、５１は安全キャビネット本体、５２は該安全キャビネット本体５１の前面に設けられた透明な素材から成る前面に沿って開閉自在なシャッター、５３は前記キャビネット本体５１の内部に設けられた作業空間、５４は該作業空間５３の上部でかつ送風機吐出プレナム６７の下面に設けられた給気用ＨＥＰＡフィルタ、５５は該給気フィルタ５４の上方かつ送風機吐出プレナム６７の上面に設けられた排気用の排気用ＨＥＰＡフィルタ、５６は前記給気用ＨＥＰＡフィルタ５４と排気用ＨＥＰＡフィルタ５５とに送風機吐出プレナム６７を介して空気を圧送する送風機、５７は前記作業空間の下部に配置された作業空間の底をなす作業台、５８は前記作業空間５３内の前方の空気を吸い込む前方吸込み孔、５９は前記作業空間５３内の後方の空気を吸い込む後方吸込み孔、６０は安全キャビネット本体５１の底板、６１は作業空間５３を構成する背面板、６２は安全キャビネット本体５１の背面板、６３は前記作業台５７と安全キャビネット本体５１の底板６０及び作業空間５３を構成する背面板６１と安全キャビネット本体５１の背面板６２により形成される空気連通路、６４は前記排気用ＨＥＰＡフィルタ５５を介して前記安全キャビネット本体５１の上部から前記安全キャビネット本体５１外に空気を排出する空気排出路、６５は該空気排出路６４に設けられた整流板で、排気用の排気用ＨＥＰＡフィルタ５５を通過する風量（つまりバリア空気として作業空間５３に安全キャビネット本体５１の前面開口部から導入給気される量）を調整するとともに、給気用ＨＥＰＡフィルタ５４を介して作業空間に清浄空気Ａ１として供給される風量をも調整している。６６はキャビネット本体５１の前面開口部であり、開閉自在なシャッター５２の下端とキャビネット本体５１の作業空間５３の下端との隙間で形成される。
本実施例においては、前記整流板６５として開口率１０％のパンチングパネルを使用したが、これに限られるものではない。
【００１０】
図２には、上記安全キャビネット本体５１の天井にあたる外板上に、排気の循環利用型安全キャビネットの構成要素としての排気還流ユニット１を配置した状態の斜視図を排気還流ユニット１の筐体２を透視して内部構造がわかる状態で示した。
【００１１】
本発明の排気の循環利用型安全キャビネット第１実施例の排気還流ユニットの形態は、チャンバ型であって、１は排気還流ユニット、２は排気還流ユニットの筐体、３は該排気還流ユニットの筐体２を構成する上板、４は同下板、５、６、７、８は同側板、９は前記下板４に設けられた排気取込口で、安全キャビネット５０のキャビネット本体５１の空気排出路６４に対向する位置に設けられ、前記キャビネット本体５１の空気排出路６４から排出される空気を排気還流ユニット１の筐体２内に取込んでいる。
１０は前記下板４に設けられた排気吹出口で、前記排気取込口９から取り込まれた空気を排気還流ユニット１から下方に向けて吹き出す。１１は排気吹出口１０に設けられた整流板で、前記排気吹出口１０から吹き出される空気の流れを均一に整えると共に風速を抑えている。この整流させる仕組みとしては、ある程度の静圧圧損を設けることで、排気吹出口１０の前面側に偏った流れをその動圧の整流板での圧損により風速の小さい側へ圧力で均したり、あるいは風向調整機構により風速を均一にしたりする仕組みを設けたりして行う。
なお、本実施の形態においては、整流板１１として開口率１０％のパンチングパネルを用いているがこれに限定されるものでなく、排気還流ユニット１で排気の流れる方向が変更されることで、上板３や側板６、８に沿って集まる高速流が発生しても、排気吹出口１０から略均一に整えられた風速で吹き出されるような整流効果をもたらす開口率のものであればよい。
【００１２】
〔実施例２〕
図４に本発明の排気の循環利用型安全キャビネットの第２実施例の構成図として（ａ）に正面図を（ｂ）に側面から見た横断面図を、図５には図４に示した排気の循環利用型安全キャビネットの外観斜視図を、排気還流ユニット１の筐体２を透視して内部構造が分かる状態で示している。そして図６には、図４、図５に示した排気の循環利用型安全キャビネットを構成する排気還流ユニットの第２実施例の構造を示した。
本発明の第２の実施の形態は、図６に見られるように、排気還流ユニット１を安全キャビネット本体５１の天井板上に配置して支持する４本の支持脚と左側前後の支持脚間、及び右側前後の支持脚間に両支持脚に沿って間仕切りを設けた排気還流ユニットを用いている。
図４〜６において、２１は排気還流ユニット１を支持する左前支持脚、２２は左後支持脚、２３は右前支持脚、２４は右後支持脚、２５は左前支持脚２１と左後支持脚２２と間に両支持脚２１、２２に沿って立設された間仕切り、２６は右前支持脚２３と右後支持脚２４の間に両支持脚２３、２４に沿って立設された間仕切りあり、前記排気還流ユニット１の排気吹出口１０から吹き出される空気がクリーンルーム内に漏れ出すのを両間仕切り２５、２６で防いでいる。
なお、本実施の形態においては、間仕切り２５、２６としてビニールカーテンを用いているがこれに限定されるものでなく、プラスチックや金属製のパネルを用いても良い。
この左前支持脚２１、右前支持脚２３、間仕切り２５、２６で形成される安全キャビネット本体５１前の空間は、作業者の着座作業エリア７６として位置づけられ、安全キャビネット本体５１の作業空間５３に安全キャビネット本体５１の前面から吸引・導入されるバリア空気Ａ２の量が、排気用ＨＥＰＡフィルタ５５を通過する風量であり、その風量が排気吹出口１０から安全キャビネット本体５１の前面を下降する気流となって、この着座作業エリア７６に供給される。この風量は、バリア空気Ａ２としての必要量は、例えば１５００ｍｍ幅の安全キャビネットで５２０ｍ３／Ｈと大量であり、この着座作業エリア７６の体積５〜１０ｍ３からみると、１時間当たり５０〜１００回の換気量となり、着座作業エリア７６に必要十分な清浄度維持風量となる。
また、上記のように清浄度維持風量が多いので、間仕切りがない形態であっても着座作業エリアに清浄度維持の濾過空気が満たされるので、間仕切りを設けなくてもよい。
そして、作業空間５３に安全キャビネット本体５１の前面から吸引・導入されるバリア空気Ａ２は、その気流により排気用ＨＥＰＡフィルタ５５を通過した風量であっても良く、設置されているクリーンルーム内にあふれ出した排気用ＨＥＰＡフィルタ５５から吹き出された還流気流の一部とクリーンルーム内の清浄度維持空気の一部との入れ替わり空気を含む空気であっても良い。
【００１３】
以下、図９に基づいて、本発明の第２実施例の排気の循環利用型安全キャビネットをバイオハザード対策用のクリーンルームに設置した場合について説明する。
同図において、７０は天井下の室内が密閉されたクリーンルーム、７１は該クリーンルーム７０の天井７２に設けられた給気ユニット、７３は空調機（図示せず）に接続された給気分岐ダクト、７４は前記給気ユニット７１に設けられた天井給気ＨＥＰＡフィルタ、７５は図示しない循環空調機へ還気を戻す還気ダクトに接続される還気口である。
７６は安全キャビネットの作業者が作業を行う着座作業エリアである。
前記クリーンルーム７０に設置された排気の循環利用型安全キャビネット５０を使用する作業者は、安全キャビネット５０の操作盤（図示せず）を操作し送風機５６を作動させた状態で、前面開口部６６から腕を作業空間５３内に差し込み、透明な板であるシャッター５２から作業空間５３を覗き見ながら作業空間５３内で細菌・ウイルス等のエアロゾルが生じる危険性のある試料を取り扱う作業を行う。
このときクリーンルーム７０内の空気は、前記送風機５６の吸引負圧により陰圧となった作業空間５３と外部クリーンルームとの圧力差により、安全キャビネット本体５１の前面開口部６６からバリア空気Ａ２として作業空間５３内に取り込まれ、作業空間５３の上部の給気用ＨＥＰＡフィルタ５４から供給される降下気流としての清浄空気Ａ１と混合され作業空間５３を満たす。この混合空気は、作業空間５３内で試料により汚染されたおそれがあり、作業台５７に設けられた前面吸込み孔５８及び背面吸込み孔５９から前記送風機５６により吸引され空気連通路６３を通り、送風機５６により送風機吐出プレナム６７に吹き出された空気の一部は給気用ＨＥＰＡフィルタ５４により清浄化され作業空間５３に供給され、残りは排気用ＨＥＰＡフィルタ５５により清浄化され、空気排出路６４を通り排気還流ユニット１に設けられた排気取込口９から排気還流ユニット１の筐体２内に取り込まれる。
そして、排気還流ユニット１の筐体２内に取り込まれた空気は、排気還流ユニット１内を流れながら気流方向を１８０度転換されて、前記排気還流ユニット１の下板４に設けられた整流板１１により均一な気流に整えられると共に風速が抑えられ、前記排気還流ユニット１の下板４に設けられた排気吹出口１０から前記安全キャビネット本体５１の上方から安全キャビネット本体５１の前面に形成された着座作業エリア７６に向けて排気され、再度清浄空気として、前記作業空間５３の負圧によりキャビネット本体５１の前面開口部６６から作業空間５３に取り込まれる。但し、左前支持脚２１、右前支持脚２３の間には間仕切りがなく開放されているので、前記バリア空気Ａ２の一部はクリーンルーム内の清浄給気ａ１と常に入れ替わる状態となっており、清浄給気ａ１と入れ替わった排気吹出口１０由来の空気は、クリーンルーム７０側の図示しない排気装置によりクリーンルーム外へ排気される。
そして送風機５６が作動されている間は、前記空気の流れが繰り返して行われる。
このように本実施の形態においては、安全キャビネット本体５１から排気還流ユニット１に取り込まれた安全キャビネット本体５１からの排出空気は、排気還流ユニット１の下板４に設けられた排気吹出口１０から安全キャビネット本体５１の上方から下方に向けて安全キャビネット本体５１の着座作業エリア７６に向けて吹き出され、吹き出された空気をバリア空気Ａ２として前面開口部６６から再度作業空間５３内に取り込むことができ、除害された清浄空気によって着座作業エリア７６が十分に清浄化できるので、排気の循環利用型安全キャビネット５０の投影面積分の清浄空気Ａ１は安全キャビネット本体５１自身で供給していると見ることができ、通常、清浄空気の換気回数から必要な清浄給気ａ１の風量を決定するクリーンルーム７０の循環する清浄度維持空気の計算から、安全キャビネットの投影面積に天井高を乗じた体積をクリーンルーム体積から減じた値を基準とすればよく、その分クリーンルーム７０に図示しない循環空調機から供給する清浄給気ａ１の量を減らすことができる。
【００１４】
また、排気還流ユニット１の排気吹出口１０を介して前記安全キャビネット本体５１の上方から吹き出される空気は、排気還流ユニット１の下板４に設けられた整流板１１により流れを均一に整えられると共に風速が抑えられて安全キャビネット本体５１の上方から下方の着座作業エリア７６に向けて吹き出されるので、クリーンルーム７０内を流れる給気ユニット７１から下降する清浄給気ａ１と略同じ方向へ吹くこととなり、よって、ぶつかって発生する大きな乱流が防止でき、よって、安全キャビネット本体５１の前面のシャッターに沿った上昇気流は発生せず、作業空間５３内の試料に接触した空気が、前記作業空間５３の前面部開口部６６から速い上昇気流による誘引に起因した、安全キャビ  ネット本体５１の外に漏出するのを防止することができる。
さらに、第２の実施形態においては、前記排気還流ユニット１に該排気還流ユニット１を支持する４本の支持脚２１〜２４と左側前後の支持脚２１、２２間に間仕切り２５が、また右側前後の支持脚２３、２４の間に間仕切り２６が設けられているため安全キャビネット５０の着座作業エリア７６がクリーンルーム７０内の清浄度維持空気による影響を受けることがなく概ね下降方向のラミナーフロー（層流）となり、確実に乱流を防止でき、安全キャビネット本体５１の前面開口部６６から作業空間５３に取り込まれるため、作業空間５３内の試料に接触した空気が、前記安全キャビネット本体５１の前面開口部６６から安全キャビネット５１の外に漏れ出すのを確実に防止することができる。
なお、図９において、安全キャビネット本体５１と、その上部に位置する排気還流ユニット１との合算高さは、クリーンルーム７０の天井７２にまで届いていない表現となっているが、もちろん安全キャビネット本体５１と排気還流ユニット１との合算高さが、天井７２の天井高いっぱいまであっても良い。
【００１５】
〔実施例３〕
図７に本発明の排気の循環利用型安全キャビネットの第３実施例の構造説明斜視図を、図８に図７に示す排気の循環利用型安全キャビネットを構成する排気還流ユニットの構造図を示す。なお、図７（ａ）は左側面図、同（ｂ）は上面図である。
この排気の循環利用型安全キャビネットの第３実施例で用いられている排気還流ユニット１は、図６及び図７に示されているようにダクトチャンバ型の排気還流ユニットである。
図６、７において、３１は排気還流ユニット、３２は排気還流ユニットの筐体、３３は該排気還流ユニットの筐体を構成する上板、３４は同下板、３５、３６、３７、３８は同側板であり、３９は前記下板３４に設けられた排気取込口で、前記安全キャビネット本体５１の空気排出路６４に対向し、前記安全キャビネット本体５１の空気排出路６４から排出される空気を取込んでいる。
４０は前記下板３４に設けられた排気吹出口で、前記排気取込口３９から取り込まれた空気を排気還流ユニット３１から下方に向けて吹き出す。
４１は前記排気吹出口４０に設けられた整流板で、前記排気吹出口４０から吹き出される空気の流れを均一に整えるとともに風速を抑えている。
なお、本実施の形態においても、整流板４１として開口率１０％のパンチングパネルを用いているがこれに限定されるものでない。
４２は前記排気還流ユニット３１をクリーンルーム等の天井に取り付ける場合に使用するＬ字型の取付金具、４３は前記側板３６に穿設された点検口、４４は点検扉で、前記排気還流ユニット３１の筐体３２内に設けられた整流板４１の清掃や交換を行うときに使用する。
【００１６】
本実施の態様において前記点検扉４４は、ステンレス製の鋼板で構成されているがこれに限定されるものではない。例えば、透明のアクリル板を使用すれば前記排気還流ユニット３１中の状況を目視で確認することができる。
４５、４６は排気還流ユニット３１の筐体３２内を流れる空気をガイドする空気ガイド板である。本実施の形態においては２枚の空気ガイド板４５、４６を個別に設けているが、これらを一体とした１枚の空気ガイド板としてもよい。また、空気ガイド板４５、４６とも、ガイドベーンとして同心円状に板を複数設置しても良い。
なお、本実施の形態においては空気ガイド板をステンレス板で構成しているがこれに限定されるものではない。
なお、図８においては図２と同様に、排気還流ユニット３１の筐体３２内の構造が分かるよう透明な部材として表しているが、空気ガイド板４５、４６は省略してある。
【００１７】
上記本発明の第３の実施形態においては、排気還流ユニット３１の筐体３２内を流れる空気が空気ガイド板４５、４６に沿って前記排気還流ユニット３１の下板３４に設けられた排気吹出口４０までガイドされるので流れがより均一に整えられ、安全キャビネット本体５１の上方から着座作業エリア７６に向けて吹き出される。
また、上記第１、第２の実施形態と比較して、排気還流ユニット３１から着座作業エリア７６に吹き出される空気の風速が速いため、安全キャビネット本体５１の前面開口部６６から作業空間５３に取り込まれるバリア空気Ａ２の風速も速くなり、作業空間５３内の試料に接触した空気が、前記安全キャビネット本体５１の前面開口部６６から安全キャビネット本体５１外に漏出するのをより確実に防止することができる。
したがって、本発明の第３の実施形態の排気の循環利用型安全キャビネットにあっては、クリーンルームに限らず、通常の実験室で使用する場合においても前記排気還流ユニット３１の排気吹出口４０から前記安全キャビネット本体５１の上方から下方に向けて排気される空気をバリア空気Ａ２として安全キャビネット本体５１の前面開口部６６から作業空間５３内に取り込むことができるので、実験室内の清浄度の低い空気が作業空間５３に吸引・導入されるおそれはなく、安全に使用できる。
【符号の説明】
【００１８】
１：排気還流ユニット
２：排気還流ユニットの筐体
３：上板
４：下板
５〜８：側板
９：排気取込口
１０：排気吹出口
１１：整流板
２１〜２４：支持脚
２５、２６：間仕切り
３１：排気還流ユニット
３２：排気還流ユニットの筐体
３３：上板
３４：下板
３５〜３８：側板
３９：排気取込口
４０：排気吹出口
４１：整流板
４２：取付金具
４３：点検口
４４：点検扉
４５、４６：空気ガイド板
５０：排気循環型安全キャビネット
５１：安全ャビネット本体
５２：シャッター
５３：作業空間   
５４：給気用ＨＥＰＡフィルタ    
５５：排気用ＨＥＰＡフィルタ
５６：送風機
５７：作業台
５８：前面吸込み孔
５９：背面吸込み孔
６０：安全キャビネット本体の底板
６１：作業空間を構成する背面板
６２：安全キャビネット本体の背面板
６３：空気連通路
６４：空気排出路
６５：整流板
６６：前面開口部
６７：吐出プレナム
７０：クリーンルーム
７１：給気ユニット
７２：天井
７３：給気分岐ダクト
７４：天井給気ＨＥＰＡフィルタ
７５：還気口
７６：着座作業エリア
Ａ１：清浄空気
Ａ２：バリア空気
ａ１：清浄給気
ａ２：試料に接触した空気
【図１】
2015166646.tif 000003
【図２】
2015166646.tif 000004
【図３】
2015166646.tif 000005
【図４】
2015166646.tif 000006
【図５】
2015166646.tif 000007
【図６】
2015166646.tif 000008
【図７】
2015166646.tif 000009
【図８】
2015166646.tif 000010
【図９】
2015166646.tif 000011
【図１０】
2015166646.tif 000012